(57)【要約】【課題】氷と水を分離して氷が溶け出すのを遅延させるだけではなく、分離した水の溜まる場所を簡単に洗うことができるアイスペールを提供する。【解決手段】外容器、および、前記外容器内に着脱可能に取り付けられた内容器からなる２層式のアイスペールであって、外容器と内容器との間には空間が存在し、内容器の底面には、内容器の内部と空間とを連通するための水抜き孔が貫通するように設けられており、内容器の底面の下面には下方に突出した脚が設けられており、内容器の内部に収容された氷が溶け出して生じた水が内容器の底面の水抜き孔を介して空間へと流出し、空間内に溜まった水は外部に排出可能であり、外容器に空間内に溜まった水を外部に排出するための注ぎ口が設けられており、内容器の側面の上端に外側へと突出して外容器の上端に対して上から当接する環状のフランジが設けられている。【選択図】図１
2020185435.tif 000002
【特許請求の範囲】
【請求項１】
外容器、および、前記外容器内に着脱可能に取り付けられた内容器からなる２層式のアイスペールであって、
前記外容器と前記内容器との間には空間が存在し、
前記内容器の底面には、前記内容器の内部と前記空間とを連通するための水抜き孔が貫通するように設けられており、前記内容器の底面の下面には、下方に突出した脚が設けられており、
前記内容器の内部に収容された氷が溶け出して生じた水が、前記内容器の底面の水抜き孔を介して前記空間へと流出し、前記空間内に溜まった水は外部に排出可能であり、
前記外容器に、前記空間内に溜まった水を外部に排出するための注ぎ口が設けられており、
前記内容器の側面の上端に、外側へと突出して前記外容器の上端に対して上から当接する環状のフランジが設けられていることを特徴とするアイスペール。
【請求項２】
前記水抜き孔は、前記内容器の底面および前記脚を縦方向に貫通していることを特徴とする、請求項１に記載のアイスペール。  
【請求項３】
前記内容器の脚は、側面の下端に切り欠きが設けられ、前記切り欠きは前記水抜き孔と前記空間とを連通することを特徴とする、請求項２に記載のアイスペール。
【請求項４】
前記内容器の底面の上面は、前記水抜き孔に向かって下方に傾斜する傾斜面を有することを特徴とする、請求項１〜３のいずれか1項に記載のアイスペール。
【請求項５】
前記内容器の上端から内部へと突出した氷用ストッパーが設けられていることを特徴とする、請求項１〜４のいずれか1項に記載のアイスペール。
【発明の詳細な説明】
【技術分野】
【０００１】
本発明は、氷を収容する２層式のアイスペールに関する。
【背景技術】
【０００２】
飲食店等で来店者に氷を提供する際に、氷を入れる容器としてアイスペールが用いられている。アイスペール内の氷は、時間が経過するにつれて徐々に溶け出して水になり、この水が氷と接触することで氷はさらに溶け易くなる。
【０００３】
アイスペール内に収容した氷が溶けるのを遅延させるためには、アイスペール内に溶け出した水を処理することが必要となる。アイスペール内に発生した水を処理するために、アイスペールを外桶および内桶からなる２層式とし、内桶内の水を外桶と内桶との間の空隙へと流出させる方法が特許文献１に記載されている。
【先行技術文献】
【特許文献】
【０００４】
【特許文献１】実開平０６−０２４５７８号公報
【発明の概要】
【発明が解決しようとする課題】
【０００５】
特許文献１のような従来の２層式のアイスペールは、内桶内の水を排出することで氷が溶け出すのを遅延させることはできるが、外桶と内桶とが固定されているために、排出された水の溜まる場所を直接洗うことが出来ないことから、衛生上の問題が生じる。
【０００６】
そこで、本発明は氷と水を分離して氷が溶け出すのを遅延させるだけではなく、分離した水の溜まる場所を簡単に洗うことができるアイスペールを提供することを目的とする。
【課題を解決するための手段】
【０００７】
本発明のアイスペールは、外容器、および、前記外容器内に着脱可能に取り付けられた内容器からなる２層式のアイスペールであって、前記外容器と前記内容器との間には空間が存在し、前記内容器の底面には、前記内容器の内部と前記空間とを連通するための水抜き孔が貫通するように設けられており、前記内容器の底面の下面には、下方に突出した脚が設けられており、前記内容器の内部に収容された氷が溶け出して生じた水が、前記内容器の底面の水抜き孔を介して前記空間へと流出し、前記空間内に溜まった水は外部に排出可能であることを特徴とする。
【０００８】
前記水抜き孔は、前記内容器の底面および前記脚を縦方向に貫通しており、さらに、前記内容器の脚は、側面の下端に切り欠きが設けられ、前記切り欠きは前記水抜き孔と前記空間とを連通する。
【０００９】
前記内容器の底面の上面は、前記水抜き孔に向かって下方に傾斜する傾斜面を有する。
【００１０】
前記外容器に、前記空間内の水を外部に排出するための注ぎ口が設けられている。
【００１１】
前記内容器の上端から内部へと突出した氷用ストッパーが設けられている。
【発明の効果】
【００１２】
本発明のアイスペールは、外容器、および、前記外容器内に着脱可能に取り付けられた内容器からなる２層式のアイスペールであって、前記外容器と前記内容器との間には空間が存在し、前記内容器の底面には、前記内容器の内部と前記空間とを連通するための水抜き孔が貫通するように設けられており、前記内容器の底面の下面には、下方に突出した脚が設けられており、前記内容器の内部に収容された氷が溶け出して生じた水が、前記内容器の底面の水抜き孔を介して前記空間へと流出し、前記空間内に溜まった水は外部に排出可能であることにより、氷と、氷が溶け出して生じた水とを分離することで、氷が溶け出すのを遅延させることができ、さらに、外容器から内容器を取り外した際に、前記脚により内容器を安定した状態で置くことができ、さらに、外容器および内容器を別々に洗うことができることから、分離した水が溜まる空間を清潔な状態に保つことができるようになる。
【００１３】
さらに、前記内容器の底面の上面は、前記水抜き孔に向かって下方に傾斜する傾斜面を有することにより、水がスムーズに水抜き孔へと流れて前記空間へと流出することで、氷が水に触れる時間を短縮することができ、氷が溶け出すのをさらに遅延させることができる。
【００１４】
前記外容器に、前記空間内の水を外部に排出するための注ぎ口が設けられていることにより、内容器を外容器から取り外すことなく簡単に前記空間内に溜まった水を外部に排出することができる。
【００１５】
前記内容器の上端から内部へと突出した氷用ストッパーが設けられていることにより、前記空間内の水を外部に排出するためにアイスペールを傾けた時に氷が前記内容器から出てしまうのを防止することができる。
【図面の簡単な説明】
【００１６】
【図１】本発明の第１の実施形態のアイスペールの断面である。
【図２】図１と直交する方向のアイスペールの断面図である。
【図３】第１の実施形態ののアイスペールの平面図である。
【図４】第１の実施形態ののアイスペールの側面図である。
【図５】第１の実施形態ののアイスペールの内容器の側面図である。
【図６】第１の実施形態ののアイスペールの外容器の断面図である。
【図７】本発明の第２の実施形態のアイスペールの平面図である。
【図８】第２の実施形態のアイスペールの断面図である。
【図９】本発明の第３の実施形態のアイスペールの断面図である。
【図１０】第３の実施形態のアイスペールの平面図である。
【図１１】第３の実施形態のアイスペールの使用状態を示す断面図である。
【発明を実施するための形態】
【００１７】
本発明のアイスペール１を、図を用いて以下に詳細に説明する。図１，２が本発明の第１の実施形態のアイスペール１の断面図であり、図３が平面図、図４が側面図である。
【００１８】
第１の実施形態のアイスペール１は、図１〜４に示すように、外容器２、内容器３、および、持ち手４から構成され、図１，２に示すように、前記外容器２と前記内容器３との間には空間５が存在する２層式であり、前記内容器３内に氷を収容して使用するものである。
【００１９】
前記外容器２は略円筒形の側面および円形の底面を有し、前記側面の一部がクチバシ状に形成されて注ぎ口６が設けられている。また、前記外容器２の側面の内側には、図６に示すようなリブ１１が、２つ対向するように設けられており、前記リブ１１は前記外容器２と前記内容器３との係合に用いられる。前記外容器２の側面の外側には、図２に示すように、前記持ち手４を前記外容器２にヒンジ係合するための２つの環状突起１３が垂直方向に突出するように設けられている。
【００２０】
前記内容器３は前記外容器２内に着脱可能に取り付けられており、略円筒形の側面および円形の底面を有し、前記側面の上端に外側へと突出する環状のフランジが設けられている。前記フランジは前記外容器２の上端と当接するように形成されている。前記内容器３の底面には、図３に示すように、３つの脚７および３つの水抜き孔８が設けられており、図１に示すように、前記水抜き孔８は、前記内容器３の底面および前記脚７を垂直に貫通するように形成されている。３つの前記脚７および３つの前記水抜き孔８は、図３に示すように、前記内容器３の円形の底面に、同一円周上に等間隔で配置されている。前記脚７の側面の下端には、図２に示すような略円弧状の切り欠き１０が、対向するように２つ設けられている。前記切り欠き１０は、前記水抜き孔８と前記空間５とを連通している。
【００２１】
前記アイスペール１は、前記内容器３を前記外容器２に着脱可能に取り付けていることからガタツキが生じる可能性があるが、本発明のアイスペール１は、前記内容器３に脚７を設けることによりガタツキを押え、安定した状態で使用することが出来る。前記脚７の数を増やすと安定性は増加するが、前記空間５の容積が減少し、また底面を洗い難くなることから、これらを踏まえて脚７の数を検討する必要があるが、本実施形態のように３つ配置することが好ましい。
【００２２】
前記内容器３の底面の上面は、中心から側面へと放射状に延伸する３つの折れ線１６および底面の外周から、３つの前記水抜き孔８に向かってそれぞれ下方に傾斜する３つのすり鉢状の傾斜面９が設けられている。前記傾斜面９の平面形状は、図３に示すように、３つの折れ線１６によって、円を３等分したものとなっている。前記傾斜面９によって、前記内容器３の底面上の水は、いずれかの水抜き孔８へと誘導され、前記水抜き孔８内を通過した水は、前記脚７の切り欠き１０を通って、前記外容器２と前記内容器３との間の空間５へと流れる。前記アイスペール１は、前記内容器３の底面に傾斜面９を設けることでスムーズに水を前記水抜き孔８へと流出させることが出来る。
【００２３】
前記内容器３の側面の外側には、図５に示すような略Ｌ字状のリブによって形成された溝１２が設けられており、前記溝１２内には、垂直方向に延伸する凸部１５が設けられている。前記溝１２および前記凸部１５は、前記外容器２の２つのリブ１１との係合に用いられるものであり、前記溝１２は図５に示す位置だけでなく、前記内容器３の側面の外側の反対側にも設けられているので、前記内容器３には２つの溝１２が設けられている。前記内容器３を前記外容器２の中に入れ、前記内容器３のフランジに前記外容器２の上端を接触させた状態で前記内容器３を前記外容器２に対して回動させると、前記外容器２の２つのリブ１１が、それぞれ前記内容器３の２つの溝１２内へと挿入され、その後、前記凸部１５を乗り越えて、図１に破線で示す状態となることにより、前記内容器３は前記外容器２に固定され、前記アイスペール１が使用できる状態となる。
【００２４】
前記アイスペール１は、前記内容器３を反対方向に回動させると、前記外容器２のリブ１１が前記凸部１５を乗り越えて、その後、前記内容器３の溝１２から出て前記外容器２と前記内容器３との係合が解除され、前記内容器３を上方へと移動させることで前記外容器２から取り外すことができる。このように、本発明のアイスペール１は、前記内容器３が前記外容器２に対して着脱可能に取り付けられていることから、前記外容器２と前記内容器３を分離して洗うことができるので、前記空間５を清潔に保つことが出来るようになる。前記内容器３と前記外容器２との係合については互いに着脱可能であればよく、ネジ式等の他の係合方法を用いることもできる。
【００２５】
前記持ち手４は、図３に示すように略Ｕ字状を有し、両端部にそれぞれ軸１４が設けられている。図２に示すように、前記軸１４が前記外容器２の環状突起１３内へと挿入されてヒンジ係合されていることにより、前記持ち手４は前記容器本体２に対して前記軸１４を中心として回動可能に取り付けられている。前記持ち手４を利用して前記アイスペール１を簡単に持ち運ぶことができる。本実施形態では、前記持ち手４を設けているが、前記持ち手４は省略することも可能であり、形状および構造についても特に限定するものではない。
【００２６】
前記アイスペール１の空間５は、図１，２に示すように、前記外容器２の側面の内側と前記内容器３の側面の外側の間、および、前記外容器２の底面の上面と前記内容器３の底面の下面との間に形成されている。前記空間５の大きさは、前記外容器２および前記内容器３の大きさ、および、位置関係を変更することで、適宜設定可能である。前記空間５は、前記水抜き孔８によって前記内容器３内と連通し、前記注ぎ口６によって外部と連通している。これにより、前記内容器３の内部に収容された氷が溶け出して生じた水は前記空間５へと流出して前記空間５内に溜まり、前記空間５内に溜まった水は、前記注ぎ口６から外部へと排出することができる。
【００２７】
本実施形態では、前記外容器２に設けた注ぎ口６を利用して空間５内に溜まった水を外部に排出することができるが、前記外容器２に前記注ぎ口６を設けない形態も可能であり、この場合、前記内容器３を前記外容器２から取り外し、前記外容器２内に溜まっている水を排出することになる。前記注ぎ口６の形態については特に限定するものではなく、前記空間５内に溜まった水を外部に排出できるものであればよく、前記外容器２の側面に設けた開口とすることも可能である。
【００２８】
次に、第２の実施形態のアイスペール１’について説明する。第２の実施形態のアイスペール１’は外容器２、内容器３’、および、持ち手４から構成され、内容器３の脚７に水抜き孔８を設けた第１の実施形態とは異なり、図７，８に示すように、内容器３’の底面に３つの脚１７と３つの水抜き孔１８を別々に設けている。そのため、前記水抜き孔１８は内容器３’の底面に設けられた開口となっている。第２の実施形態のように前記脚１７と前記水抜き孔１８を別々に配置する場合、脚１７と水抜き孔１８の数を一致させる必要はない。第２の実施形態の外容器２および持ち手４は第１の実施形態の外容器２および持ち手４と同じであり、内容器３’のその他の構造についても第１の実施形態の内容器３と同じであることから、前記脚１７と前記水抜き孔１８以外の構造についての詳細な説明は省略する。
【００２９】
図７に示すように、３つの前記水抜き孔１８は第１の実施形態の水抜き孔８と同じ位置にそれぞれ設けられており、３つの前記脚１７は、３つの前記水抜き孔１８に対して内容器３’の底面の中心を軸としてそれぞれ６０°回動させた位置に設けられており、３つの折れ線１６の下にそれぞれ位置している。第２の実施形態のアイスペール１’は、前記水抜き孔１８が内容器３’の底面に設けた開口であり、第１の実施形態のような切り欠き１０は不要であることから、第１の実施形態より簡単な構造とすることができる。
【００３０】
第１の実施形態のアイスペール１のように脚７に水抜き孔８を設ける場合でも、脚７とは異なる位置に第２の実施形態の水抜き孔１８または脚１７だけを追加して設けることも可能である。本発明において脚７，１７および水抜き孔８，１８の数は特に限定するものではないが、脚の数が少ない場合（例えば１つだけの場合）には、内容器３が安定するように脚の断面方向の寸法を大きくする必要がある。また、脚７，１７および水抜き孔８，１８の断面形状についても、円形に限定するものではなく他の形状も可能であり、脚７，１７と水抜き孔８，１８とを異なる断面形状とすることも可能である。
【００３１】
次に、第３の実施形態のアイスペール１’’について説明する。第３の実施形態のアイスペール１’’は、外容器２、内容器３’’、および、持ち手４から構成され、図９，１０に示すように、前記内容器３’’の上端から内部へと水平方向に突出した氷用ストッパー１９が設けられている。第３の実施形態のアイスペール１’’は、外容器２および持ち手４は第１，２の実施形態と同じであり、内容器３’’についても氷用ストッパー１９以外の構造は第１の実施形態の内容器３とほぼ同じ構造を用いていることから詳細な説明は省略する。
【００３２】
図１０に示すように、前記氷用ストッパー１９は略円弧状の平面形状を有し、前記内容器３’’において、前記外容器２の注ぎ口６に隣接して配置されている。前記氷用ストッパー１９の形状、大きさ等は本実施形態に限定するものではなく適宜変更可能であり、氷を保持できればよい。
【００３３】
アイスペール１’’は、前記外容器２と前記内容器３’’との間の空間５内に溜まった水を注ぎ口６から排出するために、図１１に示すように、前記アイスペール１’’を傾けると、破線で示すように水を排出することができるが、この時、前記内容器３’’内の氷は前記ストッパー１９によって保持されることから、水を排出する際に氷が落ちるのを防止することができる。前記注ぎ口６から水を排出する際に、前記内容器３’’内に水が残っていた場合、前記ストッパー１９によって前記内容器３’’内の水をせき止めてしまう可能性があることから、このような水を排出するために前記ストッパー１９にスリット、孔等を設けることも可能である。
【００３４】
このように、本発明のアイスペール１，１’，１’’は、内容器３，３’，３’’内に収容した氷が溶け出して水となった時、水は水抜き孔８，１８を通って前記外容器２と前記内容器３，３’，３’’との間の空間５へと流れて前記空間５内に溜まることから、水と氷とを分離させて前記内容器３，３’，３’’内の氷が水によって溶け出すのを遅延させることができる。そして、前記空間５内に溜まった水は、注ぎ口６を利用して、または、前記内容器３，３’，３’’を前記外容器２から取り外すことで、外部へと簡単に排出することができる。また、前記外容器２と前記内容器３，３’，３’’は着脱可能であり、取り外した状態で洗うことができるようになり、従来であれば、衛生上の問題が生じる可能性を有していた分離された水が溜まる前記空間５内を清潔にすることが出来る。また、前記内容器３，３’，３’’を取り外した際も、脚７，１７によって安定した状態で置いておくことができる。
【符号の説明】
【００３５】
１，１’，１’’  アイスペール
２    外容器
３，３’，３’’  内容器
４    持ち手
５    空間
６    注ぎ口
７    脚
８    水抜き孔
９    傾斜面
１０  切り欠き
１１  リブ
１２  溝
１３  環状突起
１４  軸
１５  凸部
１６  折れ線
１７  脚
１８  水抜き孔
１９  氷用ストッパー
【図１】
2020185435.tif 000003
【図２】
2020185435.tif 000004
【図３】
2020185435.tif 000005
【図４】
2020185435.tif 000006
【図５】
2020185435.tif 000007
【図６】
2020185435.tif 000008
【図７】
2020185435.tif 000009
【図８】
2020185435.tif 000010
【図９】
2020185435.tif 000011
【図１０】
2020185435.tif 000012
【図１１】
2020185435.tif 000013